(57)【要約】【課題】  固体光源からの第１の光を照射すると、互いに異なった色の波長変換光を第２の光として放射するドラム状回転体とを備えた光源装置において、ドラム状回転体の円周方向に対してなだらかな色の変化（連続した可変色）を実現可能な光源装置を提供する。【解決手段】  固体光源５からの第１の光を照射すると、互いに異なった色の波長変換光を第２の光として放射する複数の波長変換領域を有するドラム状回転体の波長変換部２を備え、ドラム状回転体の波長変換部２の複数の波長変換領域のうちの少なくとも２つ（例えば、複数の波長変換領域の互いに隣接する波長変換領域）は、一方の面積比率が増加すると他方の面積比率が減少するように、ドラム状回転体の円周方向に向かって面積比率が連続して徐々に変化している。【選択図】      図３
2013045676.tif 000002
【特許請求の範囲】
【請求項１】
紫外光から青色光までの波長領域のうちの所定の波長の光を第１の光として発光する少なくとも１つの固体光源と、該固体光源からの第１の光を照射すると、互いに異なった色の波長変換光を第２の光として放射する複数の波長変換領域を有するドラム状回転体の波長変換部とを備え、
前記少なくとも１つの固体光源は、前記ドラム状回転体の波長変換部の所定位置を所定の照射範囲で照射するように前記ドラム状回転体と対向する位置に配置され、
前記ドラム状回転体の波長変換部は、ドラム状回転体としての透光性基板上に複数の波長変換領域が二次元的に連続して帯状に配置され、前記複数の波長変換領域のうちの少なくとも２つは、一方の面積比率が増加すると他方の面積比率が減少するように、前記ドラム状回転体の円周方向に向かって面積比率が連続して徐々に変化することを特徴とする光源装置。
【請求項２】
請求項１記載の光源装置において、前記少なくとも１つの固体光源が複数ある場合に、前記複数の固体光源からの第１の光が選択的にもしくは同時に放射されて、前記ドラム状の回転体から単色光もしくは混色光が得られることを特徴とする光源装置。
【請求項３】
請求項１または請求項２記載の光源装置を用いていることを特徴とする照明装置。
【発明の詳細な説明】
【技術分野】
【０００１】
本発明は、光源装置および照明装置に関する。
【背景技術】
【０００２】
従来、特許文献１に記載されている照明装置が知られている。図１、図２は、特許文献１に記載されている照明装置を示す図である。
【０００３】
図１、図２を参照すると、特許文献１の照明装置は、発光体１２２と可変色部材１３１とを具備しており、発光体１２２は、基板１２３及びこの基板が延びる方向に並んで基板に実装された複数のＬＥＤ１１３を有している。また、可変色部材１３１は、基板の延びる方向と同方向に延びる波長変換部１３３ａ〜１３３ｃを複数有している。各波長変換部１３３ａ〜１３３ｃは、ＬＥＤ１１３が発した光で励起されて発光する蛍光体を有して、発光波長が夫々異なるように形成されている。また、可変色部材１３１は、各波長変換部１３３ａ〜１３３ｃを平行に並べて、内側に発光体２２が配設される形状をなしている。可変色部材１３１を、各波長変換部１３３ａ〜１３３ｃの並び方向に沿うように発光体に対して相対的に移動可能に配設する。この相対移動により各波長変換部１３３ａ〜１３３ｃの内の任意の波長変換部をＬＥＤ１１３に対向させ、この任意の波長変換部にＬＥＤ１１３が発光した光を入射させることで、色温度を可変するようにしている。
【先行技術文献】
【特許文献】
【０００４】
【特許文献１】特開２００９−１６０５８号公報
【発明の概要】
【発明が解決しようとする課題】
【０００５】
しかしながら、上述のような従来の照明装置では、可変色部材１３１の各波長変換部１３３ａ〜１３３ｃは、可変色部材１３１の移動方向（回転方向）に対してそれぞれ独立した単独の区画として配設されているため、可変色部材１３１の移動方向（回転方向）に対してなだらかな色の変化（連続した可変色）を実現することができないという問題があった。
【０００６】
本発明は、紫外光から青色光までの波長領域のうちの所定の波長の光を第１の光として発光する少なくとも１つの固体光源と、該固体光源からの第１の光を照射すると、互いに異なった色の波長変換光を第２の光として放射するドラム状の回転体とを備えた光源装置において、ドラム状の回転体の回転方向（円周方向）に対してなだらかな色の変化（連続した可変色）を実現することの可能な光源装置および照明装置を提供することを目的としている。
【課題を解決するための手段】
【０００７】
上記目的を達成するために、請求項１記載の発明は、紫外光から青色光までの波長領域のうちの所定の波長の光を第１の光として発光する少なくとも１つの固体光源と、該固体光源からの第１の光を照射すると、互いに異なった色の波長変換光を第２の光として放射する複数の波長変換領域を有するドラム状回転体の波長変換部とを備え、
前記少なくとも１つの固体光源は、前記ドラム状回転体の波長変換部の所定位置を所定の照射範囲で照射するように前記ドラム状回転体と対向する位置に配置され、
前記ドラム状回転体の波長変換部は、ドラム状回転体としての透光性基板上に複数の波長変換領域が二次元的に連続して帯状に配置され、前記複数の波長変換領域のうちの少なくとも２つは、一方の面積比率が増加すると他方の面積比率が減少するように、前記ドラム状回転体の円周方向に向かって面積比率が連続して徐々に変化することを特徴としている。
【０００８】
また、請求項２記載の発明は、請求項１記載の光源装置において、前記少なくとも１つの固体光源が複数ある場合に、前記複数の固体光源からの第１の光が選択的にもしくは同時に放射されて、前記ドラム状の回転体から単色光もしくは混色光が得られることを特徴としている。
【０００９】
また、請求項３記載の発明は、請求項１または請求項２記載の光源装置を用いていることを特徴とする照明装置である。
【発明の効果】
【００１０】
請求項１乃至請求項３記載の発明によれば、紫外光から青色光までの波長領域のうちの所定の波長の光を第１の光として発光する少なくとも１つの固体光源と、該固体光源からの第１の光を照射すると、互いに異なった色の波長変換光を第２の光として放射する複数の波長変換領域を有するドラム状回転体の波長変換部とを備え、
前記少なくとも１つの固体光源は、前記ドラム状回転体の波長変換部の所定位置を所定の照射範囲で照射するように前記ドラム状回転体と対向する位置に配置され、
前記ドラム状回転体の波長変換部は、ドラム状回転体としての透光性基板上に複数の波長変換領域が二次元的に連続して帯状に配置され、前記複数の波長変換領域のうちの少なくとも２つは、一方の面積比率が増加すると他方の面積比率が減少するように、前記ドラム状回転体の円周方向に向かって面積比率が連続して徐々に変化するので、ドラム状回転体の回転方向(円周方向)に対してなだらかな色の変化（連続した可変色）を実現することができる。
【００１１】
特に、請求項２記載の発明によれば、請求項１記載の光源装置において、前記少なくとも１つの固体光源が複数ある場合に、前記複数の固体光源からの第１の光が選択的にもしくは同時に放射されて、前記ドラム状の回転体から単色光もしくは混色光が得られるので、各色の単色光からこれらの混色光（例えば白色光）まで幅広い色の光を迅速かつ容易に得る（切り替える）ことができて、舞台照明や演出照明などの用途に特に適している。
【図面の簡単な説明】
【００１２】
【図１】特許文献１に記載されている照明装置を示す図である。
【図２】特許文献１に記載されている照明装置を示す図である。
【図３】本発明の第１の形態の光源装置を示す図である。
【図４】波長変換部の各種の例を示す図である。
【図５】操作部の構成例を示す図である。
【図６】制御部の構成例を示す図である。
【図７】本発明の第２の形態の光源装置を示す図である。
【図８】波長変換部の各種の例を示す図である。
【図９】ＣＩＥ１９３１  ｘｙ色度図である。
【図１０】本発明の第３の形態の光源装置を示す図である。
【図１１】図１０の光源装置においてリフレクタからの第２の光を混合する混色部（Ｍｉｘｉｎｇ  Ｏｐｔｉｃｓ）をさらに備えた照明装置を示す図である。
【図１２】波長変換部の各種の例を示す図である。
【図１３】第１の形態の光源装置の変形例を示す図である。
【図１４】波長変換部の作製の仕方を説明するための図である。
【図１５】ＣＩＥ１９３１  ｘｙ色度図における色再現範囲を示す図である。
【発明を実施するための最良の形態】
【００１３】
以下、本発明の実施形態を図面に基づいて説明する。
【００１４】
図３（ａ）、（ｂ）は本発明の第１の形態の光源装置を示す図であり、図３（ａ）は斜視図、図３（ｂ）は平面図である。図３（ａ）、（ｂ）を参照すると、この第１の形態の光源装置は、紫外光から青色光までの波長領域のうちの所定の波長の光を第１の光として発光する少なくとも１つの固体光源（図３（ａ）、（ｂ）の例では、１つの固体光源５）と、該固体光源５からの第１の光を照射すると、互いに異なった色の波長変換光を第２の光として放射する複数の波長変換領域を有するドラム状回転体の波長変換部２と、ドラム状回転体の波長変換部２を回転軸Ｚの周りに時計方向Ｘ１、反時計方向Ｘ２に回転駆動する回転駆動部（例えばステッピングモーター）３と、操作部（例えば操作パネル）６と、操作部６からの指示に従って回転駆動部３を制御し、また、固体光源５の点灯制御を行う制御部７とを備えている。
【００１５】
ここで、前記少なくとも１つの固体光源（図３（ａ）、（ｂ）の例では、１つの固体光源５）は、前記ドラム状回転体の波長変換部２を所定位置Ｐのところで所定の照射範囲ＡＲで照射するように前記ドラム状回転体の波長変換部２に対し同心円状の位置（図３（ａ）、（ｂ）の例では、同心円状の内側の位置）に配置されている。なお、前記少なくとも１つの固体光源（図３（ａ）、（ｂ）の例では、１つの固体光源５）が、前記ドラム状回転体の波長変換部２に対し同心円状の位置（図３（ａ）、（ｂ）の例では、同心円状の内側の位置）に配置されている場合、波長変換部２からの第２の光は、図３（ｂ）に符号Ｅで示すように、外側方向に放射される。このためには、波長変換部２の内側には、固体光源５からの第１の光を透過し、波長変換部２からの第２の光を反射するダイクロイックミラーが設けられるのが好ましい。
【００１６】
また、前記ドラム状回転体の波長変換部２は、ドラム状回転体としての透光性基板（図示しないが、例えば薄板ガラスや透明フィルムのような変曲性透光性基板）上に複数の波長変換領域が二次元的に連続して帯状に配置され、前記複数の波長変換領域のうちの少なくとも２つ（例えば、複数の波長変換領域の互いに隣接する波長変換領域）は、一方の面積比率が増加すると他方の面積比率が減少するように、前記ドラム状回転体の円周方向に向かって面積比率が連続して徐々に変化するようになっている。
【００１７】
ここで、複数の波長変換領域は、例えば赤色（Ｒ）、緑色（Ｇ）、あるいは、青色（Ｂ）などの蛍光体層により構成することができるが、固体光源５からの第１の光が青色光である場合には、ある波長変換領域が第２の光として青色光を得るものであるとき、この波長変換領域には青色の蛍光体層を形成しないで透光性基板のままで構成することができる。
【００１８】
図４（ａ）、（ｂ）、（ｃ）、（ｄ）は、波長変換部２の各種の例を示す図である。なお、図４（ａ）、（ｂ）、（ｃ）、（ｄ）には、波長変換部２を平面に展開した状態が示されている（それぞれ、上端と下端とがつながっており、上端と下端との間が３６０°である）。
【００１９】
図４（ａ）の例では、波長変換部２は、Ｒ領域（赤色（Ｒ）蛍光体層）と、Ｇ領域（緑色（Ｇ）蛍光体層）と、Ｂ領域（青色（Ｂ）蛍光体層）とが、三角形状に二次元的に配置されている。より具体的に、図４（ａ）の波長変換部２が用いられる場合、赤色（Ｒ）蛍光体層、緑色（Ｇ）蛍光体層、青色（Ｂ）蛍光体層が、各々、第１の光を全て吸収して第２の光を放射する濃度と厚みに調整され、ドラム状回転体の波長変換部２を所定位置まで（所定角度）回転させてその位置（例えば、赤色（Ｒ）蛍光体層の位置、緑色（Ｇ）蛍光体層の位置、青色（Ｂ）蛍光体層の位置、赤色（Ｒ）蛍光体層と緑色（Ｇ）蛍光体層の中間位置、緑色（Ｇ）蛍光体層と青色（Ｂ）蛍光体層の中間位置、青色（Ｂ）蛍光体層と赤色（Ｒ）蛍光体層の中間位置）に固定することにより、第２の光として、上記の各位置に対応させて、赤色（Ｒ）光、または、緑色（Ｇ）光、または、青色（Ｂ）光、または、黄色（Ｙ）光、または、シアン（Ｃ）光、または、マゼンダ（Ｍ）光を得ることができる。すなわち、第２の光として単色光を得ることができる。なお、上述の例では、青色（Ｂ）蛍光体層が設けられていることから、固体光源５からの第１の光に紫外光を用いる場合を想定しているが、青色（Ｂ）蛍光体層を形成しないで透光性基板のままにするときには、固体光源５からの第１の光には青色光が用いられる。
【００２０】
また、図４（ｂ）の例では、波長変換部２は、Ｒ領域（赤色（Ｒ）蛍光体層）と、Ｇ領域（緑色（Ｇ）蛍光体層）とが、三角形状に二次元的に配置されている。より具体的に、図４（ｂ）の波長変換部２が用いられる場合、固体光源５からの第１の光に青色光を用い、赤色（Ｒ）蛍光体層、緑色（Ｇ）蛍光体層が、各々、第１の光の一部を吸収して第２の光を放射する際に、第１の光（青色光）の一部透過成分と、赤色（Ｒ）蛍光体層、緑色（Ｇ）蛍光体層の各々の波長変換成分とが合成されて白色になるような濃度と厚みに調整され、また、赤色（Ｒ）蛍光体層、緑色（Ｇ）蛍光体層は所定の面積比率に調整され、ドラム状回転体の波長変換部２を所定位置まで（所定角度）回転させてその位置に固定することにより、第２の光として、その位置における赤色（Ｒ）蛍光体層、緑色（Ｇ）蛍光体層の面積比率に応じた混色割合で白色光（赤味を有する白色光、または、普通の白色光、または、緑味を有する白色光）を放射することができる。すなわち、第２の光として白色光を得ることができる。
【００２１】
また、図４（ｃ）の例では、波長変換部２は、Ｒ領域（赤色（Ｒ）蛍光体層）と、Ｇ領域（緑色（Ｇ）蛍光体層）とが、三角形状に二次元的に配置され、Ｒ領域（赤色（Ｒ）蛍光体層）とＧ領域（緑色（Ｇ）蛍光体層）との間に、スリット状のＢ領域（青色（Ｂ）蛍光体層）が配置されている。より具体的に、図４（ｃ）の波長変換部２が用いられる場合、赤色（Ｒ）蛍光体層、緑色（Ｇ）蛍光体層、青色（Ｂ）蛍光体層が、各々、第１の光を全て吸収して第２の光を放射する濃度と厚みに調整され、また、赤色（Ｒ）蛍光体層、緑色（Ｇ）蛍光体層、青色（Ｂ）蛍光体層は所定の面積比率に調整され、ドラム状回転体の波長変換部２を所定位置まで（所定角度）回転させてその位置に固定することにより、第２の光として、その位置における赤色（Ｒ）蛍光体層、緑色（Ｇ）蛍光体層、青色（Ｂ）蛍光体層の面積比率に応じた混色割合で白色光（赤味を有する白色光、または、普通の白色光、または、緑味を有する白色光）を放射することができる。すなわち、第２の光として白色光を得ることができる。なお、上述の例では、青色（Ｂ）蛍光体層が設けられていることから、固体光源５からの第１の光に紫外光を用いる場合を想定しているが、青色（Ｂ）蛍光体層を形成しないで透光性基板のままにするときには、固体光源５からの第１の光には青色光が用いられる。
【００２２】
また、図４（ｄ）の例では、波長変換部２は、Ｙ領域（黄色（Ｙ）蛍光体層）と、Ｒ領域（赤色（Ｒ）蛍光体層）とが、三角形状に二次元的に配置されている。より具体的に、図４（ｄ）の波長変換部２が用いられる場合、固体光源５からの第１の光に青色光を用い、黄色（Ｙ）蛍光体層、赤色（Ｒ）蛍光体層が、各々、第１の光の一部を吸収して第２の光を放射する際に、第１の光（青色光）の一部透過成分と、黄色（Ｙ）蛍光体層、赤色（Ｒ）蛍光体層の各々の波長変換成分とが合成されて白色になるような濃度と厚みに調整され、また、黄色（Ｙ）蛍光体層、赤色（Ｒ）蛍光体層は所定の面積比率に調整され、ドラム状回転体の波長変換部２を所定位置まで（所定角度）回転させてその位置に固定することにより、第２の光として、その位置における黄色（Ｙ）蛍光体層、赤色（Ｒ）蛍光体層の面積比率に応じた混色割合で白色光（赤味を有する白色光、または、普通の白色光）を放射することができる（赤色（Ｒ）成分の増減に応じて昼光色から電球色まで色温度を変化させることができる）。すなわち、第２の光として白色光を得ることができる。
【００２３】
このように、図４（ａ）の波長変換部２が用いられる場合には、第２の光として単色光を放射することができ、図４（ｂ）、（ｃ）、（ｄ）の波長変換部２が用いられる場合には、第２の光として混色光（白色光）を放射することができる。
【００２４】
また、図３（ａ）、（ｂ）の光源装置において、ドラム状回転体の波長変換部２は、光源装置本体から着脱可能に取り付けられている。すなわち、ドラム状回転体の波長変換部２を、必要に応じて、例えば、図４（ａ）、（ｂ）、（ｃ）、（ｄ）のいずれか１つの所望のものに着脱して交換することができる。この交換は、手作業で行うこともできるが、下記のように、操作部６からの指示によって自動的に行うこともできる。
【００２５】
図５には、操作部６の構成例が示されている。図５の例では、操作部６は、ドラム状回転体の波長変換部２として、タイプＴ１、Ｔ２、Ｔ３、Ｔ４（図４（ａ）、（ｂ）、（ｃ）、（ｄ）にそれぞれ対応）のうちのいずれのものを用いるかをオペレータに選択させる機能と、例えばタイプＴ１（図４（ａ）に対応）が選択されたときに、第２の光として、赤色（Ｒ）光、緑色（Ｇ）光、青色（Ｂ）光、黄色（Ｙ）光、シアン（Ｃ）光、マゼンダ（Ｍ）光のうちのどの色合いの光が必要かを選択させる（例えば上記各色の中間色をも連続的に選択可能な）機能とを有している。
【００２６】
また、図６には、制御部７の構成例が示されている。図６の例では、制御部７は、ＣＰＵ１１と、メモリ１２などにより構成されている。ここで、ＣＰＵ１１は、操作部６からドラム状回転体の波長変換部２として、例えばタイプＴ１（図４（ａ）に対応）が選択されたときに、現在装着されているタイプのドラム状回転体の波長変換部２をタイプＴ１のドラム状回転体の波長変換部２に切り替える制御を行うようになっている。また、ＣＰＵ１１は、例えばタイプＴ１（図４（ａ）に対応）が選択された場合において、操作部６から第２の光として、赤色（Ｒ）光、緑色（Ｇ）光、青色（Ｂ）光、黄色（Ｙ）光、シアン（Ｃ）光、マゼンダ（Ｍ）光のうちのどの色合いの光が必要かが選択されたときに、現在照射位置にある色（例えば赤色（Ｒ）光）から選択された色（例えば黄色（Ｙ）光）までドラム状回転体の波長変換部２を回転させて移動させるように、回転駆動部（例えばステッピングモーター）３を駆動制御する。この際に、例えばメモリ１２には、現在照射位置にある色（例えば赤色（Ｒ）光）から選択された色（例えば黄色（Ｙ）光）までドラム状回転体の波長変換部２を回転させて移動させる場合に、時計方向Ｘ１に回転させて移動させるときにかかる時間および回転角度と、反時計方向Ｘ２に回転させて移動させるときにかかる時間および回転角度とが記憶されており、ＣＰＵ１１は、メモリ１２を参照して、どちらが短い時間で済むかを比較し、短い時間で済む方向（例えば時計方向Ｘ１）を選択し、この方向に、記憶されている回転角度で、回転駆動部（例えばステッピングモーター）３を回転駆動する。これにより、ドラム状回転体の波長変換部２を自動的に所望の位置まで迅速に回転移動させることができる。
【００２７】
なお、上述の説明では、制御部７の点灯制御について記していないが、ドラム状回転体の波長変換部２を所定位置まで（所定角度）回転させてその位置に固定する上記の方式では、制御部７は、ドラム状回転体の波長変換部２を所定位置に固定した後、固体光源５を連続点灯させるように制御することができる。
【００２８】
上記のように、この第１の形態の光源装置では、ドラム状回転体の波長変換部２は、複数の波長変換領域が二次元的に連続して帯状に配置され、前記複数の波長変換領域のうちの少なくとも２つ（例えば、複数の波長変換領域の互いに隣接する波長変換領域）は、一方の面積比率が増加すると他方の面積比率が減少するように、前記ドラム状回転体の円周方向に向かって面積比率が連続して徐々に変化するので、ドラム状回転体の回転方向（円周方向）に対してなだらかな色の変化（連続した可変色）を実現することができる。
【００２９】
また、図７は本発明の第２の形態の光源装置を示す図である。図７を参照すると、この第２の形態の光源装置は、紫外光から青色光までの波長領域のうちの所定の波長の光を第１の光として発光する複数の固体光源（図７の例では、２つの固体光源５ａ、５ｂ）と、該複数の固体光源５ａ、５ｂから第１の光を各々照射すると、互いに異なった色の波長変換光を第２の光として放射する複数の波長変換領域を各々有する複数のドラム状回転体の波長変換部（図７の例では、２つのドラム状回転体の波長変換部２ａ、２ｂ）と、ドラム状回転体の波長変換部２ａ、２ｂを各々、回転軸Ｚの周りに時計方向Ｘ１、反時計方向Ｘ２に回転駆動する回転駆動部（例えばステッピングモーター）３ａ、３ｂと、操作部（例えば操作パネル）１６と、操作部１６からの指示に従って回転駆動部３ａ、３ｂを制御し、また、複数の固体光源５ａ、５ｂの点灯制御（固体光源５ａ、５ｂを同時に点灯させたり、選択的に点灯（片側点灯）させたりする制御）を行う制御部１７とを備えている。
【００３０】
ここで、複数の固体光源（図７の例では、２つの固体光源５ａ、５ｂ）は、それぞれ、前記ドラム状回転体の波長変換部２ａ、２ｂを所定位置Ｐａ、Ｐｂのところで所定の照射範囲ＡＲａ、ＡＲｂで照射するように前記ドラム状回転体の波長変換部２ａ、２ｂに対し同心円状の位置（図７の例では、同心円状の内側の位置）に配置されている。なお、複数の固体光源（図７の例では、２つの固体光源５ａ、５ｂ）が、前記ドラム状回転体の波長変換部２ａ、２ｂに対し同心円状の位置（図７の例では、同心円状の内側の位置）に配置されている場合、波長変換部２ａ、２ｂからの第２の光は、図３（ｂ）に符号Ｅで示したと同様に、外側方向に放射される。このためには、各波長変換部２ａ、２ｂの内側には、各固体光源５ａ、５ｂからの第１の光を透過し、各波長変換部２ａ、２ｂからの第２の光を反射するダイクロイックミラーが設けられるのが好ましい。
【００３１】
また、複数のドラム状回転体の波長変換部（図７の例では、２つのドラム状回転体の波長変換部２ａ、２ｂ）は、並設された一対のものとして構成されている。具体的に、ドラム状回転体の波長変換部２ａ、２ｂの各々は、ドラム状回転体としての透光性基板（図示しないが、例えば薄板ガラスや透明フィルムのような変曲性透光性基板）上に複数の波長変換領域が二次元的に連続して帯状に配置され、前記複数の波長変換領域のうちの少なくとも２つ（例えば、複数の波長変換領域の互いに隣接する波長変換領域）は、一方の面積比率が増加すると他方の面積比率が減少するように、前記ドラム状回転体の円周方向に向かって面積比率が連続して徐々に変化するようになっている。
【００３２】
また、ドラム状回転体の波長変換部２ａ、２ｂの各々は、個別に（互いに独立して）回転制御が可能となっている。また、上述したように、複数の固体光源５ａ、５ｂは、固体光源５ａ、５ｂを同時に点灯させたり、選択的に点灯（片側点灯）させたりする点灯制御が可能となっている。
【００３３】
ここで、ドラム状回転体の波長変換部２ａ、２ｂの各々の複数の波長変換領域は、例えば赤色（Ｒ）、緑色（Ｇ）、あるいは、青色（Ｂ）などの蛍光体層により構成することができるが、固体光源５ａ、５ｂからの第１の光が青色光である場合には、ある波長変換領域が第２の光として青色光を得るものであるとき、この波長変換領域Ｂには青色の蛍光体層を形成しないで透光性基板のままで構成することができる。また、ある波長変換領域が第２の光としてマゼンダ（Ｍ）光あるいはシアン（Ｃ）光を得るものであるとき、第１の光を青色光のものにし、この波長変換領域ＭあるいはＣには、例えば、赤色蛍光体あるいは緑色蛍光体を透明バインダーに低濃度分散させて、第１の光である青色光を半分透過する赤色蛍光体層あるいは緑色蛍光体層を形成することもできるし、第１の光を紫外光のものにする場合には、波長変換領域Ｍには、赤色（Ｒ）蛍光体と青色（Ｂ）蛍光体の混合物を形成し、波長変換領域Ｃには、緑色（Ｇ）蛍光体と青色（Ｂ）蛍光体の混合物を形成することができる。
【００３４】
図８（ａ）、（ｂ）、（ｃ）、（ｄ）は、波長変換部２ａ、２ｂの各種の例を示す図である。なお、図８（ａ）、（ｂ）、（ｃ）、（ｄ）には、波長変換部２ａ、２ｂを平面に展開した状態が示されている（それぞれ、上端と下端とがつながっており、上端と下端との間が３６０°である）。
【００３５】
図８（ａ）の例では、波長変換部２ａは、Ｒ領域（赤色（Ｒ）蛍光体層）と、Ｂ領域（青色（Ｂ）蛍光体層）とが、二次元的に配置されている。また、波長変換部２ｂは、Ｇ領域（緑色（Ｇ）蛍光体層）と、Ｂ領域（青色（Ｂ）蛍光体層）とが、二次元的に配置されている。この構成では、固体光源５ａ、５ｂからの第１の光には、紫外光、青色光のいずれをも用いることができるが、第１の光に青色光を用いるときには、波長変換領域Ｂには青色の蛍光体層を形成しないで透光性基板のままで構成することができる。
【００３６】
図８（ａ）の構成では、各ドラム状回転体の波長変換部２ａ、２ｂの組み合わせ位置によって、Ｒ，Ｇ，Ｂ成分を任意に調整でき、広範囲な色の再現が可能となる。各固体光源５ａ、５ｂの出力は任意に調整され、また、各固体光源５ａ、５ｂの片側点灯もしくは同時点灯など適宜調整され、Ｒ，Ｇ，Ｂ，Ｃ，Ｍ，Ｙの単色光あるいは混色光（例えば白色光Ｗ）を出力することができる。
【００３７】
また、図８（ｂ）の例では、波長変換部２ａは、Ｒ領域（赤色（Ｒ）蛍光体層）と、Ｙ領域（黄色（Ｙ）蛍光体層）とが、二次元的に配置されている。また、波長変換部２ｂは、Ｇ領域（緑色（Ｇ）蛍光体層）と、Ｂ領域（青色（Ｂ）蛍光体層）とが、二次元的に配置されている。この構成では、固体光源５ａ、５ｂからの第１の光には、紫外光、青色光のいずれをも用いることができるが、第１の光に青色光を用いるときには、波長変換領域Ｂには青色の蛍光体層を形成しないで透光性基板のままで構成することができる。
【００３８】
図８（ｂ）の構成においても、各ドラム状回転体の波長変換部２ａ、２ｂの組み合わせ位置によって、Ｒ，Ｇ，Ｂ，Ｙ成分を任意に調整でき、広範囲な色の再現が可能となる。各固体光源５ａ、５ｂの出力は任意に調整され、また、各固体光源５ａ、５ｂの片側点灯もしくは同時点灯など適宜調整され、Ｒ，Ｇ，Ｂ，Ｃ，Ａ（アンバー），Ｙの単色光あるいは混色光（例えば白色光Ｗ）を出力することができる。
【００３９】
また、図８（ｃ）の例では、波長変換部２ａは、Ｒ領域（赤色（Ｒ）蛍光体層）と、Ｍ領域とが、二次元的に配置されている。また、波長変換部２ｂは、Ｇ領域（緑色（Ｇ）蛍光体層）と、Ｃ領域とが、二次元的に配置されている。この構成では、固体光源５ａ、５ｂからの第１の光には、紫外光、青色光のいずれをも用いることができるが、第１の光に青色光を用いるときには、波長変換領域Ｂには青色の蛍光体層を形成しないで透光性基板のままで構成することができ、また、波長変換領域ＭあるいはＣには、第１の光である青色光を半分透過する赤色の蛍光体層あるいは緑色蛍光体層を形成することができる。
【００４０】
図８（ｃ）の構成においても、各ドラム状回転体の波長変換部２ａ、２ｂの組み合わせ位置によって、Ｒ，Ｇ，Ｍ，Ｃ成分を任意に調整でき、広範囲な色の再現が可能となる。各固体光源５ａ、５ｂの出力は任意に調整され、また、各固体光源５ａ、５ｂの片側点灯もしくは同時点灯など適宜調整され、Ｒ，Ｇ，Ｃ，Ｍ，Ｙの単色光あるいは混色光（例えば白色光Ｗ）を出力することができる。
【００４１】
また、図８（ｄ）の例では、波長変換部２ａは、Ｒ領域（赤色（Ｒ）蛍光体層）と、Ｇ領域（緑色（Ｇ）蛍光体層）とが、二次元的に配置されている。また、波長変換部２ｂは、Ｃ領域と、Ｍ領域とが、二次元的に配置されている。この構成では、固体光源５ａ、５ｂからの第１の光には、紫外光、青色光のいずれをも用いることができるが、第１の光に青色光を用いるときには、波長変換領域Ｂには青色の蛍光体層を形成しないで透光性基板のままで構成することができ、また、波長変換領域ＭあるいはＣには、第１の光である青色光を半分透過する赤色の蛍光体層あるいは緑色蛍光体層を形成することができる。
【００４２】
図８（ｄ）の構成においても、各ドラム状回転体の波長変換部２ａ、２ｂの組み合わせ位置によって、Ｒ，Ｇ，Ｍ，Ｃ成分を任意に調整でき、広範囲な色の再現が可能となる。各固体光源５ａ、５ｂの出力は任意に調整され、また、各固体光源５ａ、５ｂの片側点灯もしくは同時点灯など適宜調整され、Ｒ，Ｇ，Ｃ，Ｍ，Ｙの単色光あるいは混色光（例えば白色光Ｗ）を出力することができる。
【００４３】
図９はＣＩＥ１９３１  ｘｙ色度図であり、図８（ａ）、（ｂ）、（ｃ）、（ｄ）の各蛍光体色度から得られる混色再現範囲を示している。加法混色原理に従って、光の三原色ＲＧＢ、インクの三原色ＣＭＹ、これらの組み合わせから得られる広範囲な色を、少ない光源数と複数の波長変換領域にて再現できる。なお、図９における記号は、赤色Ｒｅｄ（Ｒ）、緑色Ｇｒｅｅｎ（Ｇ）、青色Ｂｌｕｅ（Ｂ）、青緑色Ｃｙａｎ（Ｃ）、赤紫色Ｍａｇｅｎｔａ（Ｍ）、黄色Ｙｅｌｌｏｗ（Ｙ）、水色ＢｌｕｅＣｙａｎ（ＢＣ）、赤紫色ＢｌｕｅＭａｇｅｎｔａ（ＢＭ）、黄緑色ＧｒｅｅｎＹｅｌｌｏｗ（ＧＹ）、橙色Ａｍｂｅｒ（Ａ）である。
【００４４】
上記のように、この第２の形態の光源装置では、ドラム状回転体の波長変換部２ａ、２ｂの各々は、複数の波長変換領域が二次元的に連続して帯状に配置され、前記複数の波長変換領域のうちの少なくとも２つ（例えば、複数の波長変換領域の互いに隣接する波長変換領域）は、一方の面積比率が増加すると他方の面積比率が減少するように、前記ドラム状回転体の円周方向に向かって面積比率が連続して徐々に変化するので、ドラム状回転体の回転方向（円周方向）に対してなだらかな色の変化（連続した可変色）を実現することができる。
【００４５】
さらに、この第２の形態の光源装置では、ドラム状回転体の波長変換部２ａ、２ｂの各々は、個別に（互いに独立して）回転制御が可能となっており、また、複数の固体光源５ａ、５ｂは、固体光源５ａ、５ｂを同時に点灯させたり、選択的に点灯（片側点灯）させたりする点灯制御が可能となっていることにより、例えばＲ，Ｇ，Ｂ，Ｃ，Ｍ，Ｙ，の単色光あるいは混色光（例えば白色光）を容易に得ることができる。
【００４６】
図１０（ａ）、（ｂ）は本発明の第３の形態の光源装置を示す図であり、図１０（ａ）は平面図、図１０（ｂ）は図１０（ａ）のＦ−Ｆ線における断面図である。図１０（ａ）、（ｂ）を参照すると、この第３の形態の光源装置は、紫外光から青色光までの波長領域のうちの所定の波長の光を第１の光として発光する複数の固体光源（図１０（ａ）、（ｂ）の例では、４つの固体光源５ａ、５ｂ、５ｃ、５ｄ）と、固体光源５ａ、５ｂ、５ｃ、５ｄから第１の光をそれぞれ照射すると、互いに異なった色の波長変換光を第２の光として放射する複数の波長変換領域を有するドラム状回転体の波長変換部１２と、ドラム状回転体の波長変換部１２を回転軸Ｚの周りに回転駆動する回転駆動部（例えばステッピングモーター）１３と、操作部（例えば操作パネル）２６と、操作部２６からの指示に従って回転駆動部１３を制御し、また、固体光源５ａ、５ｂ、５ｃ、５ｄの点灯制御を行う制御部２７とを備えている。
【００４７】
ここで、複数の固体光源（図１０（ａ）、（ｂ）の例では、４つの固体光源５ａ、５ｂ、５ｃ、５ｄ）は、対向する２個の固体光源が直交する２組の計４個として設けられており、ドラム状回転体の波長変換部１２を所定位置のところで所定の照射範囲で照射するように前記ドラム状回転体の波長変換部１２に対し同心円状の位置（図１０（ａ）、（ｂ）の例では、同心円状の内側の位置）に配置されている。なお、複数の固体光源（図１０（ａ）、（ｂ）の例では、４つの固体光源５ａ、５ｂ、５ｃ、５ｄ）が、前記ドラム状回転体の波長変換部１２に対し同心円状の位置（図１０（ａ）、（ｂ）の例では、同心円状の内側の位置）に配置されている場合、波長変換部１２からの第２の光は、図１０（ｂ）に示すように、外側方向に放射される。このためには、波長変換部１２の内側には、固体光源５ａ、５ｂ、５ｃ、５ｄからの第１の光を透過し、波長変換部１２からの第２の光を反射するダイクロイックミラーが設けられるのが好ましい。また、波長変換部１２からの第２の光は、外側方向に放射されることから、図１０（ａ）、（ｂ）の例では、波長変換部１２から外側方向に放射された第２の光を上方（または下方）に向けるための４つのリフレクタ１０ａ、１０ｂ、１０ｃ、１０ｄが、４つの固体光源５ａ、５ｂ、５ｃ、５ｄのそれぞれに対応させて設けられている。４つのリフレクタ１０ａ、１０ｂ、１０ｃ、１０ｄによって第２の光を上方（または下方）に向けさせることによって、第２の光を混合させ、これらの混色光を得ることができる。図１１には、図１０（ａ）、（ｂ）の光源装置のリフレクタ１０ａ、１０ｂ、１０ｃ、１０ｄからの第２の光を混合する混色部（Ｍｉｘｉｎｇ  Ｏｐｔｉｃｓ）１９をさらに備えた照明装置が示されている。ここで、混色部１９は、例えば、ディンプル面、マルチリフレクターと、拡散、回折、導光などのレンズとを単体もしくは組合わせて構成される（詳細は図示せず）。図１１の照明装置では、リフレクタ１０ａ、１０ｂ、１０ｃ、１０ｄによって上方（または下方）に取り出された光が混色部（Ｍｉｘｉｎｇ  Ｏｐｔｉｃｓ）１９によって混色される。この混色部１９によって、前記第２の光の隣接した発光や対角の発光も混色することが可能であり、均一な色そしてムラのない光を放射することができる。
【００４８】
また、この第３の形態において、複数の固体光源（図１０（ａ）、（ｂ）の例では、４つの固体光源５ａ、５ｂ、５ｃ、５ｄ）は、これらをそれぞれ独立に点灯制御することが可能であって、例えば、対向する２個の固体光源を同時に点灯させたり、直交する２個の固体光源を同時に点灯させたりすることもできる。
【００４９】
また、前記ドラム状回転体の波長変換部１２は、ドラム状回転体としての透光性基板（図示しないが、例えば薄板ガラスや透明フィルムのような変曲性透光性基板）上に複数の波長変換領域が二次元的に連続して帯状に配置され、前記複数の波長変換領域のうちの少なくとも２つ（例えば、複数の波長変換領域の互いに隣接する波長変換領域）は、一方の面積比率が増加すると他方の面積比率が減少するように、前記ドラム状回転体の円周方向に向かって面積比率が連続して徐々に変化するようになっている。
【００５０】
ここで、複数の波長変換領域は、例えば赤色（Ｒ）、緑色（Ｇ）、あるいは、青色（Ｂ）などの蛍光体層により構成することができるが、固体光源５ａ、５ｂ、５ｃ、５ｄからの第１の光が青色光である場合には、ある波長変換領域が第２の光として青色光を得るものであるとき、この波長変換領域Ｂには青色の蛍光体層を形成しないで透光性基板のままで構成することができる。また、ある波長変換領域が第２の光としてマゼンダ（Ｍ）光あるいはシアン（Ｃ）光を得るものであるとき、第１の光を青色光のものにし、この波長変換領域ＭあるいはＣには、例えば、赤色蛍光体あるいは緑色蛍光体を透明バインダーに低濃度分散させて、第１の光である青色光を半分透過する赤色蛍光体層あるいは緑色蛍光体層を形成することもできるし、第１の光を紫外光のものにする場合には、波長変換領域Ｍには、赤色（Ｒ）蛍光体と青色（Ｂ）蛍光体の混合物を形成し、波長変換領域Ｃには、緑色（Ｇ）蛍光体と青色（Ｂ）蛍光体の混合物を形成することができる。
【００５１】
図１２（ａ）、（ｂ）、（ｃ）、（ｄ）、（ｅ）は、波長変換部１２の各種の例を示す図である。なお、図１２（ａ）、（ｂ）、（ｃ）、（ｄ）、（ｅ）には、波長変換部１２を平面に展開した状態が示されている（それぞれ、上端と下端とがつながっており、上端と下端との間が３６０°である）。
【００５２】
図１２（ａ）に示した構成は、波長変換領域の配置をＢ，Ｇ，Ｒ，Ｙとしており、この構成では、波長変換部１２を４５°回転することで、各々の中間色であるＣ，Ｙ，Ａｍｂｅｒ（Ａ）、Ｗｈｉｔｅを出すことができ、合計７色を得ることができる。
【００５３】
また、図１２（ｂ）に示した構成は、対向する（１８０°隔てた）固体光源の位置に対応した波長変換領域の組み合わせが補色の関係（Ｂ−Ｙ、Ｇ−Ｍ、Ｃ−ＹＭ、ＢＭ−ＧＹ）にあることを特徴としている。この場合、対向する２個の固体光源５ａと５ｃ、または、５ｂと５ｄによって励起された波長変換光（すなわち、第２の光）は混色部１９にて混色されると白色光Ｗとなり、波長変換部１２を回転させてもその関係が保たれるので、広範囲な白色光を得ることができる。
【００５４】
同様に、図１２（ｃ）に示した構成も、対向する（１８０°隔てた）固体光源の位置に対応した波長変換領域の組み合わせが補色の関係（Ｂ−Ｙ、Ｒ−Ｃ、Ｍ−ＹＣ、Ａ−ＢＣ）にあることを特徴としている。この場合にも、対向する２個の固体光源５ａと５ｃ、または、５ｂと５ｄによって励起された波長変換光（すなわち、第２の光）は混色部１９にて混色されると白色光Ｗとなり、波長変換部１２を回転させてもその関係が保たれるので、広範囲な白色光を得ることができる。
【００５５】
また、図１２（ｄ）に示した構成は、直交する（９０°隔てた）固体光源の位置に対応した波長変換領域の組み合わせが補色の関係であり、Ｂ−ＢとＹ−Ｙがそれぞれ対向した位置に来る時に補色の関係となる。また、波長変換部１２を４５°回転させてＲ−ＲとＣ−Ｃがそれぞれ対向した位置に来る時に補色の関係となる。また、その中間位置（ＢＣ−Ａ、Ｍ−ＹＣ）も補色の関係となる。この場合、直交する（９０°隔てた）固体光源５ａと５ｂ、または、５ｃと５ｄ、または、５ａと５ｂと５ｃと５ｄを点灯することによって励起された波長変換光（すなわち、第２の光）は混色部１９にて混色されると白色光Ｗとなり、波長変換部１２を回転させてもその関係が保たれるので、広範囲な白色光を得ることができる。
【００５６】
同様に、図１２（ｅ）に示した構成も、直交する（９０°隔てた）固体光源の位置に対応した波長変換領域の組み合わせが補色の関係であり、Ｂ−ＢとＹ−Ｙがそれぞれ対向した位置に来る時に補色の関係となる。また、波長変換部１２を４５°回転させてＧ−ＧとＭ−Ｍがそれぞれ対向した位置に来る時に補色の関係となる。また、その中間位置（ＢＭ−ＹＧ、Ｃ−ＹＭ）も補色の関係となる。この場合、直交する（９０°隔てた）固体光源５ａと５ｂ、または、５ｃと５ｄ、または、５ａと５ｂと５ｃと５ｄを点灯することによって励起された波長変換光（すなわち、第２の光）は混色部１９にて混色されると白色光Ｗとなり、波長変換部１２を回転させてもその関係が保たれるので、広範囲な白色光を得ることができる。
【００５７】
上述した第１、第２、第３の形態において、固体光源５、５ａ、５ｂ、５ｃ、５ｄには、紫外光から青色光領域に発光波長をもつ発光ダイオード（ＬＥＤ）や半導体レーザーなどが使用可能である。
【００５８】
より具体的に、固体光源５、５ａ、５ｂ、５ｃ、５ｄには、例えば、ＩｎＧａＮ系の材料を用いた発光波長が約３８０ｎｍの近紫外光を発光する発光ダイオードや半導体レーザーなどを用いることができる。この場合、波長変換部２、２ａ、２ｂ、１２の蛍光体層の蛍光体としては、波長が約３８０ｎｍないし約４２０ｎｍの紫外光により励起されるものとして、例えば、赤色蛍光体には、ＣａＡｌＳｉＮ３：Ｅｕ２＋、Ｃａ２Ｓｉ５Ｎ８：Ｅｕ２＋、Ｌａ２Ｏ２Ｓ：Ｅｕ３＋、ＫＳｉＦ６：Ｍｎ４＋、  ＫＴｉＦ６：Ｍｎ４＋等を用いることができ、緑色蛍光体には、Ｌｕ３Ａｌ５Ｏ１２：Ｃｅ３＋、（Ｓｉ，Ａｌ）６（Ｏ，Ｎ）８：Ｅｕ２＋、ＢａＭｇＡｌ１０Ｏ１７：Ｅｕ２＋，Ｍｎ２＋、（Ｂａ，Ｓｒ）２ＳｉＯ４：Ｅｕ２＋等を用いることができ、青色蛍光体には、（Ｓｒ，Ｃａ，Ｂａ，Ｍｇ）１０（ＰＯ４）６Ｃｌ２：Ｅｕ２＋、ＢａＭｇＡｌ１０Ｏ１７：Ｅｕ２＋、ＬａＡｌ（Ｓｉ，Ａｌ）６（Ｎ，Ｏ）１０：Ｃｅ３＋等を用いることができ、黄色蛍光体には、Ｙ３Ａｌ５Ｏ１２：Ｃｅ３＋  （ＹＡＧ）、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等を用いることができる。
【００５９】
また、固体光源５、５ａ、５ｂ、５ｃ、５ｄには、例えば、ＧａＮ系の材料を用いた発光波長が約４６０ｎｍの青色光を発光する発光ダイオードや半導体レーザーなどを用いることができる。この場合、波長変換部２、２ａ、２ｂ、１２の蛍光体層の蛍光体としては、波長が約４４０ｎｍないし約４７０ｎｍの青色光により励起されるものとして、例えば、赤色蛍光体には、ＣａＡｌＳｉＮ３：Ｅｕ２＋、Ｃａ２Ｓｉ５Ｎ８：Ｅｕ２＋、ＫＳｉＦ６：Ｍｎ４＋、ＫＴｉＦ６：Ｍｎ４＋等を用いることができ、緑色蛍光体には、Ｌｕ３Ａｌ５Ｏ１２：Ｃｅ３＋、Ｙ３（Ｇａ，Ａｌ）５Ｏ１２：Ｃｅ３＋、Ｃａ３Ｓｃ２Ｓｉ３Ｏ１２：Ｃｅ３＋、ＣａＳｃ２Ｏ４：Ｅｕ２＋、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋等を用いることができ、黄色蛍光体には、Ｙ３Ａｌ５Ｏ１２：Ｃｅ３＋  （ＹＡＧ）、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等を用いることができる。
【００６０】
また、上述した第１の形態において、図３（ａ）、（ｂ）の例では、１つの固体光源５だけが設けられているとしたが、図１３に平面図で示すように、複数の固体光源（図１３の例では、３つの固体光源５ａ、５ｂ、５ｃ）を設け（例えば３つの固体光源５ａ、５ｂ、５ｃを１２０°間隔で設置し）、複数の固体光源（図１３の例では、３つの固体光源５ａ、５ｂ、５ｃ）をそれぞれ独立に点灯制御することも可能である（複数の固体光源からの第１の光を選択的にもしくは同時に放射させることも可能である）。この場合には、例えば、複数の固体光源（図１３の例では、３つの固体光源５ａ、５ｂ、５ｃ）のうちのいずれか１つ（例えば５ａ）だけを選択的に点灯することもできるし、複数の固体光源（図１３の例では、３つの固体光源５ａ、５ｂ、５ｃ）の全ての固体光源を同時に点灯させたりすることもできる。複数の固体光源（図１３の例では、３つの固体光源５ａ、５ｂ、５ｃ）のうちのいずれか１つ（例えば５ａ）だけを選択的に点灯するときには、図３（ａ）、（ｂ）の例と同様の構成となり、波長変換部２に図４（ａ）のものを用いる場合、第２の光として、赤色（Ｒ）光、または、緑色（Ｇ）光、または、青色（Ｂ）光、または、黄色（Ｙ）光、または、シアン（Ｃ）光、または、マゼンダ（Ｍ）光の単色光を得ることができる。なお、選択的に（個別に）点灯制御する場合、複数の固体光源５ａ、５ｂ、５ｃのうちのいずれか１つ（例えば５ａだけ）に固定せずに、複数の固体光源５ａ、５ｂ、５ｃのうちで、操作部６から第２の光として選択された色（例えば青色（Ｂ）光）に最も近くにある固体光源（例えば５ｃ）を選択して点灯するというように、操作部６から第２の光として選択された色（例えば青色（Ｂ）光）に最も近くにある固体光源を複数の固体光源５ａ、５ｂ、５ｃのうちから１つ選択して点灯することも可能である。この場合には、現在照射位置にある色（例えば赤色（Ｒ）光）から選択された色（例えば青色（Ｂ）光）までドラム状回転体の波長変換部２を回転させて移動させるのに必要な時間を著しく減少させることができる。また、図１３の例において複数の固体光源（図１３の例では、３つの固体光源５ａ、５ｂ、５ｃ）の全ての固体光源を同時に点灯するときには、波長変換部２に図４（ａ）のものを用いる場合、第２の光として、例えば赤色（Ｒ）光、緑色（Ｇ）光、青色（Ｂ）光を同時に得ることができて、図１０（ａ）、（ｂ）、図１１に示したようにリフレクタ１０ａ、１０ｂ、１０ｃ、１０ｄ、さらには混色部（Ｍｉｘｉｎｇ  Ｏｐｔｉｃｓ）１９を設けることで、混色光として白色光Ｗを得ることができる。すなわち、複数の固体光源（図１３の例では、３つの固体光源５ａ、５ｂ、５ｃ）をそれぞれ独立に点灯制御可能となっていることで、例えばＲ，Ｇ，Ｂ，Ｃ，Ｍ，Ｙ，の単色光あるいは混色光（例えば白色光）を容易に得ることができる。
【００６１】
また、上述した第１、第２、第３の形態において、波長変換部２、２ａ、２ｂ、１２（波長変換領域）は、図１４に示すように、薄板ガラスや透明フィルムのような変曲性透光性基板（例えば透明基板）上に形成される。より具体的に、波長変換領域は、スクリーン印刷等で帯状の透明基板上に形成され、各波長変換領域の境界はスクリーンメッシュの開口パターンにて塗り分けを行うことができる。また、図１４では、波長変換領域は、ドラム状回転体の外面（固体光源とは反対側の面）に配置されているが、ドラム状回転体の内面（固体光源側の面）に配置することで、第２の光の励起密度を上げることも可能である。特に第１の光が紫外光の場合、波長変換領域をドラム状回転体の内面（固体光源側の面）に配置することで、透明基板への紫外線劣化を気にすることがなくなり、ＰＥＴフィルムやＰＣフィルムなどの安価なプラスチック材料を用いることができる。
【００６２】
また、上述した第１、第２、第３の形態では、ドラム状回転体の波長変換部２、２ａ、２ｂ、１２を所望の位置まで回転させ、その位置に固定して所望の色を得るとしたが、これのかわりに、ドラム状回転体の波長変換部２、１２を高速回転させて（例えば３６００ｒｐｍ以上の回転数で回転させて）人間の目で点滅が無視できる回転数）させて、ドラム状回転体の波長変換部２、１２の所定位置と固体光源の点灯とを同期させることでも（固体光源をパルス駆動により点滅させることでも（なお、この場合、波長変換部２、１２は、上記のように人間の目で点滅が無視できる高速の回転数で回転させる））、単色光〜混色光（例えば白色光）を得ることができる。この場合、固体光源をパルス駆動させることで、連続点灯モードの電流よりも多くの電流を流すことができるため、波長変換部２、１２を所定位置に固定して連続点灯する場合よりも光量を増加させることができる。
【００６３】
また、上述した第１、第２、第３の形態では、ドラム状回転体の波長変換部２、２ａ、２ｂ、１２に対し同心円状の内側の位置に固体光源５、５ａ、５ｂ、５ｃ、５ｄを設け、第２の光をドラム状回転体の波長変換部２、２ａ、２ｂ、１２の外側に放射するようにするとしたが、ドラム状回転体の波長変換部２、２ａ、２ｂ、１２に対し同心円状の外側の位置に固体光源５、５ａ、５ｂ、５ｃ、５ｄを設け、第２の光をドラム状回転体の波長変換部２、２ａ、２ｂ、１２の内側に放射するようにすることも可能である。なお、この場合、ドラム状回転体の波長変換部２、２ａ、２ｂ、１２の内側にリフレクタを設け、内側に放射された第２の光を上方（または下方）に向けるのが好ましい。
【００６４】
また、上述した第１、第２、第３の形態では、ドラム状回転体の波長変換部２、２ａ、２ｂ、１２に対し同心円状の位置に固体光源５、５ａ、５ｂ、５ｃ、５ｄを設けたが、固体光源５、５ａ、５ｂ、５ｃ、５ｄは、ドラム状回転体と対向する位置に配置されていれば良い（すなわち、固体光源５、５ａ、５ｂ、５ｃ、５ｄは、ドラム状回転体の波長変換部２、２ａ、２ｂ、１２を照射する位置に配置されていれば良く、必ずしもドラム状回転体の波長変換部２、２ａ、２ｂ、１２に対し同心円状の位置に配置されていなくともよい）。
【００６５】
また、上述した第１、第２、第３の形態において、操作部６、１６、２６として、図５の例のかわりに、図９に示す色度空間（ＣＩＥ１９３１  ｘｙ色度図）自体あるいは図１５に示す色度図を例えばタッチパネル方式で液晶表示させ、色度空間（ＣＩＥ１９３１  ｘｙ色度図）における色再現範囲内の所望の色の部分をオペレータに押させるように構成し、これに基づき、制御部７、１７、２７において、図９に示す色度空間（ＣＩＥ１９３１  ｘｙ色度図）の任意箇所の色の光（すなわち、オペレータによって押された色再現範囲内の所望の色の光）が得られるように制御することも可能である。
【００６６】
また、上述した第１、第２の形態の光源装置においても、光源装置からの出射光（第２の光）を光学系（例えばレンズなど）によって所望の照明光とすることができる。すなわち、上述した第１、第２の形態の光源装置に光学系（例えばレンズなど）等を付加することによって、照明装置として構成することができる。
【００６７】
また、本発明では、各色の単色光からこれらの混色光（例えば白色光）まで幅広い色の光を迅速かつ容易に得る（切り替える）ことができるので、舞台照明や演出照明などの用途に特に適している。
【産業上の利用可能性】
【００６８】
本発明は、舞台照明や演出照明などに利用可能である。
【符号の説明】
【００６９】
２、２ａ、２ｂ、１２          波長変換部
５、５ａ、５ｂ、５ｃ、５ｄ          固体光源
３、３ａ、３ｂ          回転駆動部
６、１６、２６          操作部
７、１７、２７          制御部
１１          ＣＰＵ
１２          メモリ
１０ａ、１０ｂ、１０ｃ、１０ｄ          リフレクタ
１９        混色部
【図１】
2013045676.tif 000003
【図２】
2013045676.tif 000004
【図３】
2013045676.tif 000005
【図４】
2013045676.tif 000006
【図５】
2013045676.tif 000007
【図６】
2013045676.tif 000008
【図７】
2013045676.tif 000009
【図８】
2013045676.tif 000010
【図９】
2013045676.tif 000011
【図１０】
2013045676.tif 000012
【図１１】
2013045676.tif 000013
【図１２】
2013045676.tif 000014
【図１３】
2013045676.tif 000015
【図１４】
2013045676.tif 000016
【図１５】
2013045676.tif 000017